(57)【要約】【課題】バリアブルカットオフ印刷機に関し、版胴やブランケット胴を交換することなくカットオフ長さを変更することができるようにする。【解決手段】ブランケット胴１３ａ，１３ｂの表面の印刷領域がウェブ１側を通過する印刷時には、ウェブ１の走行速度とブランケット胴１３ａ，１３ｂ及び版胴１２ａ，１２ｂの周速度とが等しくなるように速度制御を行ない、ブランケット胴１３ａ，１３ｂの非印刷領域がウェブ１側を通過する非印刷時には、ブランケット胴１３ａ，１３ｂ及び版胴１２ａ，１２ｂの周速度に対するウェブ１の相対走行速度が遅くなるように速度制御を行なう。これにより、ウェブに非印刷領域に応じた余白を与えないようにでき、版胴やブランケット胴を変更せずに、カットオフ長さを変更可能になる。【選択図】        図１
2004148687.tif 000002
【特許請求の範囲】
【請求項１】
刷版を外周に装備した版胴と、
該刷版からインクを転写されるブランケットを外周に装備し、走行するウェブに該ブランケットによって印刷を施すブランケット胴と、
該版胴と該ブランケット胴と該ウェブとを同期させて駆動する駆動手段とをそなえ、
該ブランケット胴が胴入れ状態のときであっても、該ブランケット胴の表面の非印刷領域は該ウェブに接触しないように設定され、
該駆動手段は、該ブランケット胴の表面の印刷領域が該ウェブ側を通過する印刷時には、該ウェブの走行速度と該ブランケット胴及び該版胴の周速度とが等しくなるように速度制御を行ない、該ブランケット胴の該非印刷領域が該ウェブ側を通過する非印刷時には、該ブランケット胴及び該版胴の周速度に対する該ウェブの相対走行速度が遅くなるように速度制御を行なう
ことを特徴とする、バリアブルカットオフ印刷機。
【請求項２】
該駆動手段は、該ブランケット胴及び該版胴の周速度に対する該ウェブの相対走行速度を該ウェブのカットオフ長さが短いほど遅くなるように速度制御を行なう
ことを特徴とする、請求項１記載のバリアブルカットオフ印刷機。
【請求項３】
該ブランケットは該ウェブのカットオフ長さに対応した周方向長さのものが選択されて該ブランケット胴の外周に取り付けられるとともに、
該ブランケットの厚みが所定量以上大きく設定され、
該ブランケット胴の該ブランケットの取り付けられた該印刷領域が該ウェブ側を通過する印刷時には、該印刷領域が該ウェブに接触し、該ブランケット胴の該ブランケットの取り付けられていない該非印刷領域が該ウェブ側を通過する非印刷時には、該印刷領域が該ウェブに接触しないように構成されている
ことを特徴とする、請求項１又は２記載のバリアブルカットオフ印刷機。
【請求項４】
該ブランケット胴は該ウェブを挟むようにして該ウェブの両面に対を成して配設され、該版胴は該各ブランケット胴に対してそれぞれ設けられ、対を成す該ブランケットは、該ウェブに対して面対称に配設されている
ことを特徴とする、請求項１〜３の何れか１項に記載のバリアブルカットオフ印刷機。
【請求項５】
該駆動手段は、該ウェブが該ブランケットの印刷領域に接触する際には、該ウェブの速度と該ブランケット胴及び該版胴の周速度とが等しくなるようにそれぞれ基準速度に速度制御を行ない、該ブランケットの非印刷領域が該ウェブ側を通過する非印刷時には、該ウェブのカットオフ長さが短いほど該ウェブの走行速度が該基準速度よりも低くなるように速度制御を行なう
ことを特徴とする、請求項１〜４の何れか１項に記載のバリアブルカットオフ印刷機。
【請求項６】
該駆動手段には、走行する該ウェブを貯蔵及び放出して該ブランケットと接触する部分の該ウェブの速度を制御するアキュムレータがそなえられている
ことを特徴とする、請求項５記載のバリアブルカットオフ印刷機。
【請求項７】
該駆動手段は、該ブランケットの印刷領域が該ウェブ側を通過する印刷時には、該ウェブの走行速度と該ブランケット胴及び該版胴の周速度とが等しくなるようにそれぞれ基準速度に速度制御を行ない、該ブランケットの非印刷領域が該ウェブ側を通過する非印刷時には、該ウェブのカットオフ長さが短いほど該ブランケット胴及び該版胴の周速度が該基準速度よりも高くなるように速度制御を行なう
ことを特徴とする、請求項１〜５の何れか１項に記載のバリアブルカットオフ印刷機。
【請求項８】
該駆動手段は、該ブランケットの該非印刷領域が該ウェブ側を通過する非印刷時には、まず該ブランケット胴及び該版胴の周速度を加速して該ウェブのカットオフ長さが短いほど該ブランケット胴及び該版胴の周速度を高速にして、その後減速して該ウェブが該ブランケットの印刷領域に接触するようになるまでに該ブランケット胴及び該版胴の周速度を該基準速度に復帰させる
ことを特徴とする、請求項７記載のバリアブルカットオフ印刷機。
【発明の詳細な説明】
【０００１】
【発明の属する技術分野】
本発明は、走行するウェブに印刷を行なう輪転式の印刷機であって、カットオフ長さを変更しうるバリアブルカットオフ印刷機に関する。
【０００２】
【従来の技術】
輪転式の印刷機には、ウェブ（連続紙）の両面に印刷を施すために、図６に示すように、ウェブ１の各面（ここでは、上面と下面）にそれぞれ、版胴２ａ，２ｂとブランケット胴３ａ，３ｂとがそなえられる。また、版胴２ａ，２ｂの表面には刷版４ａ，４ｂがそなえられ、ブランケット胴３ａ，３ｂの表面にはブランケット５ａ，５ｂがそなえられる。なお、以下の説明では、版胴，ブランケット胴，刷版，ブランケットについて、上下のものを区別しない場合はそれぞれ符号２，３，４，５で示す。
【０００３】
かかる輪転式印刷機械において、印刷長さ（換言すれば、ウェブのカットオフ長さ）を変更する際には、刷版やブランケットの周長の変更、即ち、印刷胴（版胴２及びブランケット胴３）の直径の変更が要求される場合がある。このような要求に対しては、一般に、印刷胴２，３や刷版４やブランケット５をいずれも取り替えるとともに、図６に実線及び一点鎖線で示すように、一部の印刷胴２，３の軸支持位置を変更しなくては対応できない。
【０００４】
しかし、印刷胴は重量の大きな鋼鉄製の軸をそなえているため、これらを取り替えるのは大きな作業負担となり、交換作業に要するコストや時間を膨大に費やしてしまう。
そこで、印刷胴を、重量の大きな軸部と、この軸部の外周に装備される外周部とに分割構成して、軸部は取り替えずに外周部を外径の異なるものに取り替えて、印刷胴の直径を変更できるようにした技術（このような印刷機はカットオフ長を変更できることからバリアブルカットオフ印刷機と呼ぶ）が開発されている（例えば、特許文献１，特許文献２参照）。
【０００５】
例えば、特許文献１の技術では、図７に示すように、印刷胴１０２，１０３は、軸部（シリンダコア）１１１と、この軸部１１１の両端部外周にキー１２４を介して一体回転するように設けられたディスク１２２，１２２と、ディスク１２２，１２２の外周に嵌装されディスク１２２，１２２と一体回転するケーシング１２０をそなえて構成されている。また、ケーシング１２０の外周には、図示しないスリーブ及び印刷ブロック（刷版やブランケット）が装備される。
【０００６】
ケーシング１２０をディスク１２２，１２２とともに交換することができ、ケーシングを所要の外径のものに交換すれば、印刷胴の直径を変更して、カットオフ長を変更できる。
これにより、重量のある軸部１１１は取り替えずに、軽量なケーシング１２０やディスク１２２，１２２のみを取り替えるだけで、印刷胴の直径を変更することができる。
【０００７】
なお、この技術では、図７に示すように、軸部１１１の軸心部に形成された孔部１１４内に圧縮空気を導入できるようになっており、この孔部１１４と連通して軸部１１１の外周面に開口した孔部１１６と、ケーシング１２０の内外周を連通するように形成された孔部１２６とを通じて、孔部１１４に導入された圧縮空気をケーシング１２０の外周に噴射できるようになっている。スリーブの交換時には、ケーシング１２０の外周に圧縮空気を噴射してケーシング１２０とスリーブとの間に空気層を形成させればスリーブを容易に着脱できる。
【０００８】
また、特許文献２の技術では、図８に示すように、版胴２０２，ブランケット胴２０３は、軸部２１１と、この軸部２１１の外周に嵌装される筒状のスリーブ（サドル）２１２とから構成され、各スリーブ２１２の外周には、印刷版２０４，ブラケット２０５が装備されている。そして、印刷胴２０２，２０３の各軸部２１１が印刷ユニット２０１内に装着された状態で、印刷ユニット２０１の側壁に設けられたドア２１３を開放して、このドア開口から各スリーブ２１２を軸方向に着脱できるようになっている。
【０００９】
そして、各スリーブ２１２として、図９に示すように、内径は同一で外径が異なるスリーブ２１２ａ〜２１２ｅを複数用意して、印刷胴２０２，２０３の直径を変更するには、各スリーブ２１２を軸部２１１から外して、所要の刷版を有し所用の外径のスリーブ２１２を軸部２１１に取り付ける。これにより、重量のある軸部２１１は取り替えずに、軽量なスリーブ２１２のみを取り替えるだけで、印刷胴の直径を変更することができる。
【００１０】
なお、この技術では、スリーブ２１２の軸部２１１への着脱を、前述のように圧縮空気を利用して行なっている。
また、特許文献２には、印刷版を装着するスリーブ２１２の表面に、図９に示すような溝２１４を設けて、従来の平板状の印刷版を装着するようにしても良い旨も記載されている。
【００１１】
また、カットオフ長を変更する際には、印刷胴のうちブランケット胴は交換しないで版胴のみを交換することで対応できるように技術（バリアブルカットオフ印刷機）も開発されている（例えば、特許文献３参照）。
この技術では、ブランケット胴のブランケット表面からウェブにインキを転写した後にブランケット表面に潜像が存在しないようにし、一印刷ごとに刷版からブランケットにインキを供給するようにすることで、ブランケット胴の周長さを刷版の長さやウェブのカットオフ長さと無関係に設定することができるようにしたものである。すなわち、ブランケット表面に潜像が存在すれば、ブランケット表面の常に同じ個所に刷版が接触しなくてはダブリングが生じてしまうが、ブランケット表面に潜像が存在しなければダブリングのおそれはないため、ブランケット表面に対して一周ごとに刷版が異なる位置に接触してもよいことになる。このため、ブランケット胴の周長さを刷版の長さやウェブのカットオフ長さと無関係に設定することができるのである。
【００１２】
【特許文献１】
特開２０００−２２５６８１号公報
【特許文献２】
特開平９−１８３２０８号公報
【特許文献３】
特開平１１−３４２５８３号公報
【００１３】
【発明が解決しようとする課題】
しかしながら、特許文献１，２の技術では、軸部に対する外周部（ケーシング１２０やスリーブ２１２）の着脱のために、例えば、印刷部の操作側に開口を設け（図８参照）て、さらに、軸受けの着脱機構や胴の片持ち支持構造など複雑が技術が必要となり、コスト増を招く。
【００１４】
また、特許文献３の技術では、版胴については、版胴の交換については何ら改善していないので、重量のある軸部を含めて交換することになり、この交換に多大な時間と労力を要する。また、「ブランケット胴のブランケット表面からウェブにインキを転写した後にブランケット表面に潜像が存在しないようにする技術」が前提となり、一般的な印刷機に広く適用しうるものではない。
【００１５】
本発明はこのような課題に鑑み案出されたもので、版胴やブランケット胴を交換することなくカットオフ長さを変更することができ、しかも、一般的な印刷機に広く適用することができるようにした、バリアブルカットオフ印刷機を提供することを目的とする。
【００１６】
【課題を解決するための手段】
上記目標を達成するため、本発明のバリアブルカットオフ印刷機は、該刷版からインクを転写されるブランケットを外周に装備し、走行するウェブに該ブランケットによって印刷を施すブランケット胴と、該版胴と該ブランケット胴と該ウェブとを同期させて駆動する駆動手段とをそなえ、該ブランケット胴が胴入れ状態のときであっても、該ブランケット胴の表面の非印刷領域は該ウェブに接触しないように設定され、該駆動手段は、該ブランケット胴の表面の印刷領域が該ウェブ側を通過する印刷時には、該ウェブの走行速度と該ブランケット胴及び該版胴の周速度とが等しくなるように速度制御を行ない、該ブランケット胴の該非印刷領域が該ウェブ側を通過する非印刷時には、該ブランケット胴及び該版胴の周速度に対する該ウェブの相対走行速度が遅くなるように速度制御を行なうことを特徴としている（請求項１）。
【００１７】
該駆動手段は、該ブランケット胴及び該版胴の周速度に対する該ウェブの相対走行速度を該ウェブのカットオフ長さが短いほど遅くなるように速度制御を行なうことが好ましい。
該ブランケットは該ウェブのカットオフ長さに対応した周方向長さのものが選択されて該ブランケット胴の外周に取り付けられるとともに、該ブランケットの厚みが所定量以上大きく設定され、該ブランケット胴の該ブランケットの取り付けられた該印刷領域が該ウェブ側を通過する印刷時には、該印刷領域が該ウェブに接触し、該ブランケット胴の該ブランケットの取り付けられていない該非印刷領域が該ウェブ側を通過する非印刷時には、該印刷領域が該ウェブに接触しないように構成されていることが好ましい。
【００１８】
また、該ブランケット胴は該ウェブを挟むようにして該ウェブの両面に対を成して配設され、該版胴は該各ブランケット胴に対してそれぞれ設けられ、対を成す該ブランケットは、該ウェブに対して面対称に配設されていることが好ましい。
該駆動手段は、該ウェブが該ブランケットの印刷領域に接触する際には、該ウェブの速度と該ブランケット胴及び該版胴の周速度とが等しくなるようにそれぞれ基準速度に速度制御を行ない、該ウェブが該ブランケットの非印刷領域に接触する際には、該ウェブのカットオフ長さが短いほど該ウェブの走行速度が該基準速度よりも低くなるように速度制御を行なうことが好ましい。
【００１９】
この場合、該駆動手段には、走行する該ウェブを貯蔵及び放出して該ブランケットと接触する部分の該ウェブの速度を制御するアキュムレータがそなえられていることが好ましい。
また、該駆動手段は、該ウェブが該ブランケットの印刷領域に接触する際には、該ウェブの速度と該ブランケット胴及び該版胴の周速度とが等しくなるようにそれぞれ基準速度に速度制御を行ない、該ブランケットの非印刷領域が該ウェブ側を通過する非印刷時には、該ウェブのカットオフ長さが短いほど該ウェブの走行速度が該基準速度よりも低くなるように（さらに好ましくは、該ウェブの走行速度を０にするように）速度制御を行なうことが好ましい。
【００２０】
この場合、該駆動手段には、走行する該ウェブを貯蔵及び放出して該ブランケットと接触する部分の該ウェブの速度を制御するアキュムレータがそなえられていることが好ましい。
また、該駆動手段は、該ブランケットの印刷領域が該ウェブ側を通過する印刷時には、該ウェブの走行速度と該ブランケット胴及び該版胴の周速度とが等しくなるようにそれぞれ基準速度に速度制御を行ない、該ブランケットの非印刷領域が該ウェブ側を通過する非印刷時には、該ウェブのカットオフ長さが短いほど該ブランケット胴及び該版胴の周速度が該基準速度よりも高くなるように速度制御を行なうことが好ましい。
【００２１】
この場合、該駆動手段は、該ブランケットの非印刷領域が該ウェブ側を通過する非印刷時には、まず該ブランケット胴及び該版胴の周速度を加速して該ウェブのカットオフ長さが短いほど該ブランケット胴及び該版胴の周速度を高速にして、その後減速して該ウェブが該ブランケットの印刷領域に接触するようになるまでに該ブランケット胴及び該版胴の周速度を該基準速度に復帰させることが好ましい。
【００２２】
【発明の実施の形態】
以下、図面により、本発明の実施の形態について説明する。
［第１実施形態］
まず、本発明の第１実施形態について図面に基づいて説明する。
図１〜図３は本発明の第１実施形態にかかるバリアブルカットオフ印刷機を示すもので、図１はその要部構成を示す模式図、図２はそのブランケット胴を示す模式的断面図、図３はその速度制御を説明するタイムチャートである。
【００２３】
本実施形態にかかるバリアブルカットオフ印刷機は、図１に示すように、ウェブ（連続紙）の両面に印刷を施す輪転式の両面印刷機であり、ウェブ１の各面（ここでは、上面と下面）にそれぞれ、版胴１２ａ，１２ｂとブランケット胴１３ａ，１３ｂとがそなえられる。また、版胴１２ａ，１２ｂの表面には刷版１４ａ，１４ｂがそなえられ、ブランケット胴１３ａ，１３ｂの表面にはブランケット１５ａ，１５ｂがそなえられる。また、ウェブ１及び版胴１２ａ，１２ｂ，ブランケット胴１３ａ，１３ｂは図示しない駆動手段によってそれぞれ駆動される。なお、以下の説明では、版胴，ブランケット胴，刷版，ブランケットについて、上下のものを区別しない場合はそれぞれ符号１２，１３，１４，１５で示す。
【００２４】
本印刷機の場合、印刷長さ、即ち、ウェブ１のカットオフ長さを変更する際に、版胴１２及びブランケット胴１３は取り替えることなく、刷版１４及びブランケット１５のみ取り替えるだけで対応できるようになっている。
このために、版胴１２及びブランケット胴１３の表面は特徴的な構成になっている。
【００２５】
つまり、図２（ａ）に示すように、版胴１２の表面には、所要の印刷長さ（カットオフ長さ）に対応した周方向長さの刷版１４が装着される。したがって、版胴１２の表面には、刷版１４が装着された印刷領域と、刷版１４が装着されない非印刷領域とが発生する。周方向に連続したギャップレスの刷版でない場合、版胴１２にはギャップが存在し、この部分は刷版１４の装着されない非印刷領域となるが、本印刷機の場合、カットオフ長さが短いほどこの非印刷領域が長くなることになる。
【００２６】
また、図２（ｂ）に示すように、ブランケット胴１３の表面には、刷版１４の周方向長さに対応した（即ち、所要の印刷長さ（カットオフ長さ）に対応した）周方向長さの有効表面を有するブランケット１５が装着される。したがって、ブランケット胴１３の表面にも、ブランケット１５が装着された（或いは、刷版１４に接触しうるブランケット部分である）印刷領域と、ブランケット１５が装着されない（或いは、刷版１４に接触しないブランケット部分である）非印刷領域とが発生する。ブランケット胴１３の場合も周方向に連続したギャップレスのブランケットでない場合、ブランケット胴１３にはギャップが存在し、この部分はブランケット１５の装着されない非印刷領域となり、版胴１２の場合と同様に、カットオフ長さが短いほどこのブランケット胴１３の非印刷領域が長くなることになる。
【００２７】
通常、版胴１２やブランケット胴１３の表面に周方向に非印刷領域が大きくなるほど、ウェブ１に非印刷部分が長手方向に大きく存在してしまうため商品にならなくなってしまうが、本印刷機では、後述するように、版胴１２及びブランケット胴１３の周速度とウェブ１の走行速度とを変調制御して、版胴１２やブランケット胴１３の表面に周方向に大きな非印刷領域が存在しても、ウェブ１には長手方向に大きな非印刷部分が発生しないように構成されている。
【００２８】
すなわち、本印刷機では、ブランケット胴１３の表面の印刷領域がウェブ１側を通過するときには、版胴１２及びブランケット胴１３の周速度とウェブ１の走行速度とを一致させるとともにブランケット胴１３の表面（即ち、ブランケット１５の表面）をウェブ１に圧接して印刷を行なう。一方、ブランケット胴１３の表面の非印刷領域がウェブ１側を通過するときには、ブランケット胴１３の表面（即ち、ブランケット１５の表面）をウェブ１から離隔させて、この離隔している間は、ウェブ１の走行速度を版胴１２及びブランケット胴１３の周速度に対して相対的に遅くして、ウェブ１に対して版胴１２及びブランケット胴１３が空回りするように制御を行なう。
【００２９】
ブランケット胴１３の表面の非印刷領域がウェブ１側を通過するときに、ブランケット胴１３の表面（ブランケット１５の表面）をウェブ１から離隔させるために、ブランケット１５は図２（ｂ）に示すような構造になっている。つまり、ブランケット１５表面の印刷領域は所定量以上の厚さに形成され、ウェブ１の両側のブランケット１５がウェブ１を挟んでニップ圧を発生できるようになっているが、ブランケット１５表面の非印刷領域は印刷領域よりも薄く形成され、ウェブ１の両側のブランケット１５が共にウェブ１から離隔するように構成されている。
【００３０】
本実施形態では、図２（ｂ）に示すように、ブランケット１５は周方向に連続した筒状に形成され、非印刷領域では外周部が削除されており（カット部と記載する）、これにより厚みを薄く構成している。
なお、ブランケット１５を周方向に端部のあるシート状（平板型）のものとしてブランケット胴１３に巻き付けるような構造のにしてもよい。この場合、印刷領域のみにブランケット１５を巻き付けて、非印刷領域には何も巻きつけない構成としてもよい。また、ブランケット１５をベースプレート上にブランケット本体を接合した構造にして、ベースプレートはブランケット胴１３の全周又はほぼ全周に巻き付く長さとし、ブランケット本体はベースプレート上に印刷長さ分だけ接合させた構成としても良い。
【００３１】
また、本実施形態では、図２（ａ）に示すように、刷版１４は、周方向に端部があり印刷長さ分だけの長さのシート状（平板型）のものとして版胴１２に巻き付けられているが、この刷版１４についても、ベースプレート上に刷版本体を接合した構造にして、ベースプレートは版胴１２の全周又はほぼ全周に巻き付く長さとし、刷版本体はベースプレート上に印刷長さ分だけ接合させた構成としても良い。あるいは、刷版１４を周方向に連続した筒状に形成し、印刷領域のみに版を形成させたものとしても良い。
【００３２】
また、刷版１４及びブランケット１５の版胴１２やブランケット胴１３への固定は、刷版１４又はブランケット１５の周方向両端部を版胴１２やブランケット胴１３の外周に形成されたくわえ部（クランプ）に係止させる従来の固定方法のほか、刷版１４やブランケット１５が軽量であることから、接着剤を用いた接着や、磁力を用いた吸着など、種々のものが適用できる。
【００３３】
ここで、版胴１２及びブランケット胴１３の周速度とウェブ１の走行速度との変調制御について説明する。
版胴１２及びブランケット胴１３は、周速度が常に基準速度Ｖ１になるように回転駆動される。一方、ウェブ１は、ブランケット胴１３の印刷領域がウェブ１側に位置するときには、版胴１２及びブランケット胴１３は周速度と等しい基準速度Ｖ１で走行するように駆動され、ブランケット胴１３の非印刷領域がウェブ１側に位置するときには、停止状態とされるようになっている。
【００３４】
このようなウェブ１の速度制御を行なうために、ウェブパスライン上のブランケット胴１３ａ，１３ｂよりも上流側及び下流側には、それぞれ駆動手段としてアキュムレータ２０ａ，２０ｂがそなえられている。これらのアキュムレータ２０ａ，２０ｂは、位置が固定された一対のガイドロール２１，２２と、ガイドロール２１，２２間に介装され位置が移動する可動ロール２３と、可動ロール２３の軸位置を移動させる図示しないロール位置移動機構とをそなえている。また、ウェブ１は、上流側アキュムレータ２０ａよりも上流、及び、下流側アキュムレータ２０ｂよりも下流では、ライン速度Ｖ２で走行するように駆動される。
【００３５】
上流側アキュムレータ２０ａのロール位置移動機構は、ブランケット胴１３の非印刷領域がウェブ１側に位置するときには、可動ロール２３を速度Ｖｄ１でガイドロール２１，２２から離隔するように移動させ、ウェブ１を貯蔵してウェブ１が下流側に送り出されないようにする。このロール位置移動機構は、ブランケット胴１３の印刷領域がウェブ１側に位置するときには、可動ロール２３を速度Ｖｕ１でガイドロール２１，２２に接近するように移動させ、ウェブ１を放出して下流側に送り出し、次のウェブ１貯蔵に対応できるようにする。
【００３６】
下流側アキュムレータ２０ｂのロール位置移動機構は、ブランケット胴１３の非印刷領域がウェブ１側に位置するときには、可動ロール２３を速度Ｖｕ２でガイドロール２１，２２に接近するように移動させ、ウェブ１が上流側で停止している間にも下流側ではウェブ１がライン速度Ｖ２で走行するようにウェブ１を放出する。このロール位置移動機構は、ブランケット胴１３の印刷領域がウェブ１側に位置するときには、可動ロール２３を速度Ｖｄ２でガイドロール２１，２２から離隔するように移動させ、上流側からライン速度Ｖ２よりも高速で送り出されるウェブ１を貯蔵しながら下流側にはライン速度Ｖ２で送り出すようにする。
【００３７】
このようなライン速度Ｖ２，基準速度（版胴１２及びブランケット胴１３の周速度）Ｖ１，上流側の可動ロール２３の移動速度（ガイドロール２１，２２に対する接近速度Ｖｕ１，離隔速度Ｖｄ１），下流側の可動ロール２３の移動速度（ガイドロール２１，２２に対する接近速度Ｖｕ２，離隔速度Ｖｄ２）との関係は次のようになる。
【００３８】
Ｖ２＋２Ｖｕ１＝Ｖ１
Ｖ１−２Ｖｄ２＝Ｖ２
Ｖ２−２Ｖｄ１＝０
０−２Ｖｕ２＝Ｖ２
したがって、接近速度Ｖｕ１，Ｖｕ２，離隔速度Ｖｄ１，Ｖｄ２はライン速度Ｖ２，基準速度Ｖ１に対して以下のように設定すればよい。
【００３９】
Ｖｕ１＝Ｖｄ２＝（Ｖ１−Ｖ２）／２
Ｖｄ１＝Ｖｕ２＝Ｖ２／２
なお、可動ロール２３やガイドロール２１，２２のうちの一部のロールを必要に応じてウェブ１を走行させる駆動ロールとして、他のロールは従動ロールとしてもよい。
【００４０】
また、ブランケット胴１３の非印刷領域がウェブ１側に位置するときには、ウェブ１を、微小速度で走行させるようにしても良い。この場合、ウェブ１にブランケット胴１３の非印刷領域に応じた非印刷部が発生するが、これは微小であれば問題ない。又，この場合、カットオフ長さが短いほど、即ち、ブランケット胴１３の非印刷領域の周方向長さが長いほどウェブ１の速度を遅くすることで、ブランケット胴１３の非印刷領域に応じてウェブ１に発生する非印刷部の長さをカットオフ長さにかかわらず限度内に収めることができる。
【００４１】
本発明の第１実施形態にかかるバリアブルカットオフ印刷機は上述のように構成されているので、図３に示すように、ブランケット胴１３の印刷領域がウェブ１側に位置するときには、ウェブ１側が版胴１２及びブランケット胴１３の周速度と等しい基準速度Ｖ１で走行しながらブランケット１５に圧接して印刷される。
【００４２】
ブランケット胴１３の非印刷領域がウェブ１側に位置するときには、ウェブ１がブランケット１５から離隔すると共に、版胴１２及びブランケット胴１３が基準速度Ｖ１で走行する一方ウェブ１は停止するため、版胴１２及びブランケット胴１３がウェブ１に対して空回りするようになり、ブランケット胴１３の非印刷領域に応じたウェブ１に非印刷部の発生が防止される。
【００４３】
したがって、版胴１２に取り付けられる刷版１４及びブランケット胴１３に取り付けられるブランケット１５を変更して、上記の速度制御を実施すれば、版胴１２及びブランケット胴１３を変更することなく、印刷部の長さ、即ち、カットオフ長さを変更することができる。
なお、ブランケット胴１３の非印刷領域がウェブ１側に位置するときに、ウェブ１を微小速度で走行させるとともに、ブランケット胴１３の非印刷領域の周方向長さが長いほどウェブ１の速度を遅くすることで、ブランケット胴１３の非印刷領域に応じてウェブ１に発生する非印刷部の長さをカットオフ長さにかかわらず限度内に収めることができ、やはり、版胴１２及びブランケット胴１３を変更することなく、印刷部の長さ、即ち、カットオフ長さを変更することができる。
【００４４】
［第２実施形態］
次に、本発明の第２実施形態について図面に基づいて説明する。
図４，図５は本発明の第２実施形態にかかるバリアブルカットオフ印刷機を示すもので、図４はその要部構成を示す模式図、図５はその速度制御を説明するタイムチャートである。なお、図４において図１と同符号は同様のものを示す。
本実施形態では、図４に示すように、速度制御に関する部分を除いて、第１実施形態と同様に構成されているので、これら同様部分の説明は省略し、相違する速度制御に関して説明する。
【００４５】
つまり、第１実施形態では、ブランケット胴１３の非印刷領域がウェブ１側に位置するときに、ウェブ１の走行を停止する（或いは微小速度に落とす）ことにより、ブランケット胴１３の非印刷領域に応じたウェブ１に非印刷部の発生を防止（又は抑制）しているが、本実施形態では、ウェブ１は常に等速で走行させながら、ブランケット胴１３の非印刷領域がウェブ１側に位置するときには、ウェブ１をブランケット１５から離隔させると共に、版胴１２及びブランケット胴１３の周速度をウェブ１の走行速度よりも大きくするようにしている。これにより、版胴１２及びブランケット胴１３がウェブ１に対して空回りするようにして、ブランケット胴１３の非印刷領域に応じたウェブ１の非印刷部発生を抑制するようにしているのである。
【００４６】
本発明の第２実施形態にかかるバリアブルカットオフ印刷機は上述のように構成されているので、版胴１２及びブランケット胴１３を変更することなく、印刷部の長さ、即ち、カットオフ長さを変更することができる。
なお、版胴１２及びブランケット胴１３の駆動手段は、ブランケット１５の非印刷領域がウェブ１側を通過する非印刷時には、まず、ブランケット胴１３及び版胴１２の周速度を加速してウェブ１のカットオフ長さが短いほど（非印刷領域が長いほど）ブランケット胴１３及び版胴１２の周速度を高速にして、その後、ウェブ１がブランケット１５の印刷領域に接触するようになるまでには、ブランケット胴１３及び版胴１２の周速度を減速してブランケット胴１３及び版胴１２の周速度を基準速度（ウェブ１の走行速度）に一致させるようにすれば、ブランケット胴１３の非印刷領域に応じてウェブ１に発生する非印刷部の長さを、カットオフ長さにかかわらず限度内に収めることができ、やはり、版胴１２及びブランケット胴１３を変更することなく、印刷部の長さ、即ち、カットオフ長さを変更することができる。
【００４７】
［その他］
以上、本発明の実施形態について説明したが、本発明は上述の実施形態に限定されるものではなく、本発明の趣旨を逸脱しない範囲内で種々変形して実施することができる。
例えば、上記実施形態を互いに組み合わせて実施しても良いことは言うまでもない。つまり、ブランケット胴１３の非印刷領域がウェブ１側に位置するときに、ウェブ１をブランケット１５から離隔させると共に、ウェブ１の走行を停止する（或いは微小速度に落とす）と共に、版胴１２及びブランケット胴１３の周速度を印刷時の走行速度よりも大きくするように制御してもよい。
【００４８】
【発明の効果】
以上説明したように、本発明のバリアブルカットオフ印刷機（請求項１）によれば、ブランケット胴の表面の印刷領域がウェブ側を通過する印刷時には、該ウェブの走行速度と該ブランケット胴及び版胴の周速度とが等しくなるように速度制御を行ない、該ブランケット胴の表面の非印刷領域が該ウェブ側を通過する非印刷時には、該ブランケット胴及び該版胴の周速度に対する該ウェブの相対走行速度が該ウェブのカットオフ長さが短いほど遅くなるように速度制御を行なう。
【００４９】
これにより、ウェブの走行速度と等しい周速度で回転するブランケット胴の印刷領域がウェブに確実に印刷を行なう一方で、ブランケット胴及び版胴の周速度に対するウェブの相対走行速度が遅くなるので、ウェブに非印刷領域に応じた余白を与えることなく次の周期の印刷領域がウェブに印刷を行なうようにでき、ブランケット胴の外径を変更することなく、ブランケット胴の印刷領域の周方向長さに応じたウェブのカットオフ長さを設定することができる。
【００５０】
特に、ブランケット胴及び版胴の周速度に対するウェブの相対走行速度はカットオフ長さが短いほど遅くなるので、カットオフ長さが短く設定され、ブランケット胴の非印刷領域の周方向長さが長くなっても、ウェブに非印刷領域に応じた余白を与えないようにすることができる（請求項２）。
ウェブのカットオフ長さに対応した周方向長さのブランケットを選択してブランケット胴の外周に取り付けるようにするとともに、ブランケットの厚みを所定量以上大きく設定すれば、ブランケット胴においてブランケットの取り付けられた印刷領域がウェブ側を通過する印刷時には、この印刷領域がウェブに接触し、ブランケット胴におけるブランケットの取り付けられていない該非印刷領域がウェブ側を通過する非印刷時には、この印刷領域がウェブに接触しないようにできる。したがって、ブランケット胴の非印刷領域をウェブから確実に離隔させて、ブランケット胴及び版胴の周速度に対するウェブの相対走行速度の変更を支障なく実施できるようになる（請求項３）。
【００５１】
ブランケット胴がウェブを挟むようにしてウェブの両面に対を成して配設され、版胴が各ブランケット胴に対してそれぞれ設けられ、対を成して設けられるブランケットが、ウェブに対して面対称に配設されていれば、印刷時には両ブランケットでウェブを挟んでウェブにニップ圧を与えながらウェブの両面に印刷を行なえ、非印刷時には両ブランケットをウェブから確実に離隔させることができる（請求項４）。
【００５２】
ウェブがブランケットの印刷領域に接触する際には、ウェブの速度とブランケット胴及び版胴の周速度とが等しくなるようにそれぞれ基準速度に速度制御を行ない、ウェブがブランケットの非印刷領域に接触する際には、ウェブのカットオフ長さが短いほどウェブの走行速度が基準速度よりも低くなるように速度制御を行なうことにより、ブランケット胴及び版胴の周速度に対するウェブの相対走行速度を確実に遅くすることができる（請求項５）。
【００５３】
この場合、駆動手段に、走行するウェブを貯蔵及び放出してブランケット胴を通過する部分のウェブの速度を制御するアキュムレータをそなえれば、ブランケットに対するウェブの走行速度について適宜変調制御することができるようになる。例えば、ブランケット胴の上流にアキュムレータをそなえるようにして、上流側ではウェブを常時等速でアキュムレータ側に送り込むようにした場合、ウェブを基準速度よりも低速にするには、走行してくるウェブをアキュムレータで貯蔵すればよく、ウェブを基準速度にするには、ウェブをアキュムレータから放出しながらブランケット胴に送り込むようにして、アキュムレータにより次回の低速制御時にウェブを貯留できるようにする（請求項６）。
【００５４】
ウェブがブランケットの印刷領域に接触する際には、ウェブの走行速度とブランケット胴及び該版胴の周速度とが等しくなるようにそれぞれ基準速度に速度制御を行ない、ウェブがブランケットの非印刷領域に接触する際には、ウェブのカットオフ長さが短いほどブランケット胴及び版胴の周速度が基準速度よりも高くなるように速度制御を行なうことにより、ブランケット胴及び版胴の周速度に対するウェブの相対走行速度を確実に遅くすることができる（請求項７）。
【００５５】
この場合、該駆動手段では、ウェブがブランケットの非印刷領域に接触する際には、まずブランケット胴及び版胴の周速度を加速してウェブのカットオフ長さが短いほどブランケット胴及び版胴の周速度を高速にして、その後減速してウェブがブランケットの印刷領域に接触するようになるまでにブランケット胴及び版胴の周速度を基準速度に復帰させれば、ウェブのカットオフ長さが短いほどブランケット胴及び版胴の周速度が基準速度よりも高くなるように速度制御を確実に行なうことができる（請求項８）。
【図面の簡単な説明】
【図１】本発明の第１実施形態にかかるバリアブルカットオフ印刷機の要部構成を示す模式図である。
【図２】本発明の第１実施形態にかかるバリアブルカットオフ印刷機に装備される印刷胴を示す模式的断面図であり、（ａ）は版胴を示し、（ｂ）はブランケット胴を示す。
【図３】本発明の第１実施形態にかかるバリアブルカットオフ印刷機における速度制御を説明するタイムチャートである。
【図４】本発明の第２実施形態にかかるバリアブルカットオフ印刷機の要部構成を示す模式図である。
【図５】本発明の第２実施形態にかかるバリアブルカットオフ印刷機における速度制御を説明するタイムチャートである。
【図６】バリアブルカットオフ印刷機を説明する印刷機の要部の模式的側面図である。
【図７】従来のバリアブルカットオフ印刷機に関する版胴を示す模式的断面図である。
【図８】従来のバリアブルカットオフ印刷機に関する技術を示す模式的斜視図である。
【図９】従来のバリアブルカットオフ印刷機に関するスリーブを示す模式的断面図である。
【符号の説明】
１  ウェブ
２，２ａ，２ｂ  版胴
３，３ａ，３ｂ  ブランケット胴
４，４ａ，４ｂ  刷版
５，５ａ，５ｂ  ブランケット
１２，１２ａ，１２ｂ  版胴
１３，１３ａ，１３ｂ  ブランケット胴
１４，１４ａ，１４ｂ  刷版
１５，１５ａ，１５ｂ  ブランケット
２０ａ，２０ｂ  アキュムレータ（駆動手段）
２１，２２  ガイドロール
２３  可動ロール
【図１】
2004148687.tif 000003
【図２】
2004148687.tif 000004
【図３】
2004148687.tif 000005
【図４】
2004148687.tif 000006
【図５】
2004148687.tif 000007
【図６】
2004148687.tif 000008
【図７】
2004148687.tif 000009
【図８】
2004148687.tif 000010
【図９】
2004148687.tif 000011